(57)【要約】電子制御手段３０を備えたドア２０の端縁２１が連結されるキャビネット１０を備え、それぞれのヒンジ４０を受け、かつ添付することが予測されるキャビネット１０の各領域に取り付けられた接続手段１５と、各接続手段を機器の内部電気回路に接続する補助電気ワイヤ１６と、ドア２０に設けられ、かつドア２０の内部に対して開かれる入口２２ａ、および端縁２１の外部に対して開かれ、一方がそれぞれのヒンジ４０の管状ヒンジピン４２を受ける１対の出口２２ｂを有するダクト２２と、ダクト２２およびヒンジピン４２を通って取り付けられ、かつ電子制御手段３０に接続された内端部３２、およびヒンジ４０に隣接する接続手段１５に結合された外端部３３を有する電気ワイヤ３１と備える、冷蔵庫および冷凍庫ならびに他の機器のドアのための電気供給システム。
2006507468.tif 000002
【特許請求の範囲】
【請求項１】
電子制御手段（３０）を有するドア（２０）の端縁（２１）が連結されるキャビネット（１０）を備えた冷蔵庫および冷凍庫ならびに他の機器のドアのための電気供給システムであって、管状ヒンジピン（４２）を備えるそれぞれのヒンジ（４０）を受け、かつ固定することが予測されるキャビネット（１０）の各領域に取り付けられた接続手段（１５）と、該接続手段を機器の内部電気回路に接続する補助電気ワイヤ（１６）と、ドア（２０）に設けられ、かつドア（２０）の内部に対して開かれる入口（２２ａ）、およびドア（２０）について予測される開放方向に応じて、それぞれのヒンジ（４０）のヒンジピン（４２）を取り付けるために予測される位置に関して同軸状の位置にある、ドア（２０）の端縁（２１）の外部に対して開かれる出口（２２ｂ）を有するダクト（２２）と、ヒンジ（４０）のヒンジピン（４２）を受け、かつ担持するためのダクト（２２）の出口（２２ｂ）に設けられる管状ブッシング（４５）と、電子制御手段（３０）に接続された内端部（３２）およびヒンジ（４０）に隣接する接続手段（１５）に電気的に結合された外端部（３３）を有するように、入口（２２ａ）から出口（２２ｂ）まで、かつヒンジ（４０）のヒンジピン（４２）を経て、ダクト（２２）を通って取り付けられる電気ワイヤ（３１）とを備えることを特徴とする電気供給システム。
【請求項２】
接続手段（１５）が、ヒンジ（４０）が固定されるキャビネット（１０）の面上に設けられたそれぞれのハウジング（１２）の内部に取り付けられることを特徴とする請求項１に記載の電気供給システム。
【請求項３】
２つのハウジング（１２）が設けられ、それぞれが、キャビネット（１０）のそれぞれの側面に接近して配置され、かつ補助電気ワイヤ（１６）に接続された接続手段（１５）を収容することを特徴とする請求項２に記載の電気供給システム。
【請求項４】
ダクト（２２）が、ヒンジ（４０）が協働するドア（２０）の端縁（２１）に画定される溝の形態を取り、入口（２２ａ）が、１対の出口（２２ｂ）を画定する幅広対向端部を有する溝の中央領域の低部において画定されることを特徴とする請求項１に記載の電気供給システム。
【請求項５】
溝の形態のダクト（２２）が、電気ワイヤ（３１）の垂直湾曲を収容するように、対向端部領域において深くなる深度を有することを特徴とする請求項４に記載の電気供給システム。
【請求項６】
ドア（２０）の端縁（２１）が、溝の形態のダクト（２２）を組み込む仕上端部キャップによって画定されることを特徴とする請求項４に記載の電気供給システム。
【請求項７】
溝の形態のダクト（２２）が、前記ダクト（２２）の中に取外し式にはめ込まれる細長いキャップ（２５）によって閉じられることを特徴とする請求項４に記載の電気供給システム。
【請求項８】
ヒンジ（４０）に隣接する端部と反対側のダクト（２２）の幅広端部が、内部に取外し式にはめ込まれる小さい仕上キャップ（５８）を受けることを特徴とする請求項７に記載の電気供給システム。
【請求項９】
ヒンジ（４０）が、ダクト（２２）の隣接出口（２２ｂ）の内部において回転式に支持されるように、キャビネット（１０）に取外し式に固定されて、管状ヒンジピン（４２）を内部に組み込むようにキャビネットの輪郭から外向きに突出する基本プレート（４１）を備えることを特徴とする請求項１に記載の電気供給システム。
【請求項１０】
ヒンジ（４０）のヒンジピン（４２）が、ダクト（２２）の隣接出口（２２ｂ）の内部においてはめ込まれ、かつ保持される管状ブッシング（４５）の内部に回転式に支持されることを特徴とする請求項９に記載の電気供給システム。
【請求項１１】
管状ブッシング（４５）が、ドア（２０）の端縁（２１）の上に設置される端フランジ（４６）を組み込むことを特徴とする請求項１０に記載の電気供給システム。
【請求項１２】
管状ブッシング（４５）が、ダクト（２２）の出口（２２ｂ）の外部に提供されるそれぞれのハウジング（２３）にはめ込まれ、かつ保持されるように、径方向に弾性的に変形可能であるロッキングタブ（４６ａ）を端フランジ（４６）において組み込むことを特徴とする請求項１１に記載の電気供給システム。
【請求項１３】
ヒンジの基本プレート（４１）およびダクト（２２）の隣接ハウジング（１２）および出口（２２ｂ）を覆うために、ヒンジ（４０）の上に取外し式にはめ込まれる仕上主カバー（５０）を備えることを特徴とする請求項９に記載の電気供給システム。
【請求項１４】
ヒンジ（４０）から離れるようにハウジング（１２）に取外し式にはめ込まれ、かつキャビネット（１０）の前記ハウジング（１２）および隣接ボア（１８）を覆う補助カバー（５５）をさらに備えることを特徴とする請求項１３に記載の電気供給システム。
【発明の詳細な説明】
【技術分野】
【０００１】
本発明は、１つまたは複数のフロントドアによって閉じられるキャビネットを備える冷蔵庫、冷凍庫、および他の機器の可逆式または非可逆式のドアに装備された電子制御手段に電気供給を提供するシステムに関する。
【背景技術】
【０００２】
使用者が、機器の動作パラメータに関する情報を通知され、また機器の動作を命令することを可能にする電子制御手段を有するフロントドアを備えた冷蔵庫および冷凍庫が、当技術分野からよく知られている。
【０００３】
開放方向に対して非可逆式タイプのフロントドアを提供する冷蔵庫および冷凍庫では、電子制御手段の電気供給は、一般に、ヒンジの１つの管状ピンにより提供される。機器の電子回路に接続されたワイヤは、キャビネットの構造を通って配置され、ヒンジの管状ピンの内部を通過して、給電される電子制御手段に到達するまで、ドアの内部を通って延びる。ドアの開放方向を工場の当初のアセンブリに関して反転することが可能な構造を提供する冷凍庫および冷蔵庫では、２部品コアを有する変圧器によって生成される電磁誘導により、ドアの電子制御手段に電気供給を提供する解決法が知られている。この解決法では、変圧器の１次側は、キャビネットに取り付けられ、一方、２次側はドアに装備され、ドアが閉鎖状態にあるときのみ、電子制御手段を作動させる。
【０００４】
可逆式ドアに装備された電子制御手段に給電するための他の知られている解決法は、キャビネットおよびドアにそれぞれ取り付けられ、ドアが閉鎖されているときのみ、電子制御手段の電気供給回路を閉じるコンタクトピンを使用する。ドアが閉鎖されているときのみ電子制御手段に給電することに加えて、この従来の技術の解決法は、ドアが開放されているときにコンタクトピンが露出することにより、低電力電気信号で動作するという制限を示す。
【発明の開示】
【発明が解決しようとする課題】
【０００５】
上述された欠点を考慮すると、本発明の目的は、ドアに設けられた電子制御手段が、前記ドアの状態および開放方向に関係なく容易かつ安全に給電されることを可能にする、冷蔵庫、冷凍庫、および同様の構造の他の機器のドアに電子供給システムを提供することである。
【課題を解決するための手段】
【０００６】
本発明は、電子制御手段を有するドアの端縁が連結されるキャビネットを備えた冷蔵庫、冷凍庫、および他の機器のドアのための電子供給システムを提供する。
【０００７】
本発明によれば、供給システムは、管状ヒンジピンを備えるそれぞれのヒンジを受け、かつ固定するように設計されたキャビネットの各領域に取り付けられた接続手段と、接続手段を機器の内部電子回路に接続する補助電子ワイヤとを備える。
【０００８】
ドアは、ドアの内部に対して開かれる入口、およびドアについて予測される開放方向に応じて、それぞれのヒンジのヒンジピンを取り付けることについて予測される位置に関して同軸状の位置にある、ドアの端縁の外部に対して開かれる出口を有するダクトと、ヒンジのヒンジピンを受け、かつ担持するためのダクトの出口に設けられる管状ブッシングと、電子制御手段に接続された内端部およびヒンジに隣接する接続手段に結合された外端部を有するように、入口から出口までかつヒンジのヒンジピンを経て、ダクトを通って取り付けられた電子ワイヤとを備える。
【０００９】
本発明は、本発明の実施形態の例として与えられる、添付の図面を参照して以下で記述される。
【発明を実施するための最良の形態】
【００１０】
添付の図面に示され、かつ上述されたように、本発明は、冷蔵庫または冷凍庫と使用者との間のインタフェースとして動作して、使用者が家庭機器の動作を確認および命令することを可能にする、任意の適切な構造にある、電子制御手段３０を有するフロントドア２０を提供する全体的に平行なキャビネット１０を備える冷蔵庫、冷凍庫、および他の機器を対象とする。
【００１１】
提案される解決法によれば、キャビネット１０は、それぞれのヒンジ４０を受け、固定するように設計されたキャビネットの面の領域においてキャビネット１０のそれぞれの面に近接して配置される２つのハウジング１２を備える上面１１を有する。
【００１２】
示された例示的な構造では、２つのハウジング１２が提供されるが、その理由は、家庭用機器のプロジェクトが、工場の当初のアセンブリにおいて画定された開放方向に関して反転された開放方向を有するドア２０の可能性を予測しているからである。ドア２０の開放方向の反転が予測されない場合、キャビネット１０の上面１１は、ドア２０の上部ヒンジ４０の取付け領域に配置された唯一のハウジング１２を備えることができることを理解されたい。
【００１３】
各ハウジング１２の内部において、補助電子ワイヤ１６によって家庭用電器機器の電気回路（図示せず）に接続された、任意の適切な構造であり、概略的に示される接続手段１５が取り付けられる。補助電子ワイヤ１６は、破線で概略的に示されており、本発明に属さないよく知られた従来の技術のプロセスのいずれかによってキャビネット１０の構造を画定する壁の内部に取り付けられる。
【００１４】
各接続手段１５は、以下で記述されるように、キャビネットの仕上を容易にするように、キャビネット１０の上面１１に関して下方位置においてそれぞれのハウジング１２に取り付けられることが好ましい。
【００１５】
本発明の他の態様によれば、機器の電子制御手段３０と内部電子回路との間の接続は、電子ワイヤ３１によって行われる。電子ワイヤ３１は、機器の動作特性に従って構築され、電子制御手段３０に接続された内端部３２およびヒンジ４０に隣接する接続手段１５に電気的に結合されるように構築された外端部３３を提供する。
【００１６】
電気ワイヤ３１は、このタイプの構築の任意の適切なプロセスに従って、適切に取り付けられ、ドア２０の構造の内部を通り、前記ドア２０のキャビネット１０への連結が行われるドア２０の端縁２１の中央領域から外向きに突出する。ドア２０がフロントドアである示された構造では、前記端縁２１は、ドア２０の構造にはめ込まれ、かつ固定された仕上端部キャップによって画定される上部縁である。
【００１７】
この仕上端部キャップは、一般に、ドア２０のそれぞれの端部分を補完するように構成された成型部品である。
【００１８】
電気ワイヤ３１が、電子制御手段３０からそれぞれの接続手段１５に至ることを可能にするために、ドア２０は、ドア２０の内部に対して開かれる入口２２ａと、ヒンジ４０のヒンジ軸について予測される各位置と同軸状である位置において、ドア２０の端縁２１の外部に対して開かれる出口２２ｂとを有するダクト２２を備える。示された例では、ダクト２２は、ドア２０の端縁２１の仕上端部キャップに設けられる溝の形態を取る。前記溝の中央領域において、電気ワイヤ３１の入口２２ａが画定され、その延長対向端部が、ドア２０の電気ワイヤ３１の出口２２ｂを画定する。各出口２２ｂは、キャビネット１０の隣接側面に取り付けられるヒンジ４０のヒンジ軸と同軸状に位置合わせされる。
【００１９】
示されるように、ヒンジ４０は、キャビネット１０の上面１１の上に設置され、通常はねじ止めによって固定される基本プレート４１を備える。基本プレート４１は、管状ヒンジピン４２を組み込むために、キャビネットの輪郭から外向きに突出しており、管状ヒンジピン４２は、基本プレート４１から垂直に突出する自由端部と、基本プレート４１に組み込まれ、かつその内部に対して開かれる端部とを有する。
【００２０】
ヒンジ４０は、上端部の縁がキャビネット１０の上面１１と同一の高さであるドア以外の他のドアにおいて本電子供給システムを装備することを可能にするように、キャビネット１０の上面１１においてだけでなく、キャビネット１０の構造の他の部分においても装備されることが可能であることを理解されたい。
【００２１】
ヒンジ４０を補完するために、端部フランジ４６を有する管状ブッシング４５が提供される。該管状ブッシング４５は、ヒンジ４０のヒンジピン４２をその内部で受け、かつ回転式に支持するように、ダクト２２の各出口２２ｂの内部に取り付けられる。管状ブッシング４５は、その成型を容易にし、かつヒンジのヒンジピン４２を担持するのに十分な強度および対摩擦の特性を示すことができる異なる材料で構築することができる。
【００２２】
示された構造では、管状ブッシング４５の端部フランジ４６は、ドア２０の端縁２１の上に設置され、そこで、径方向に弾性的に変形可能であり、かつダクト２２の出口２２ｂの外部に提供されるそれぞれのハウジング２３においてはめ込まれ、保持される１対のロッキングタブ４６ａによって保持される。
【００２３】
図４、５、および６においてよりよく示されるように、ダクト２２は、端部領域においてより大きな深度を有しており、入口２２ａからくる電気ワイヤ３１が、直角に湾曲されて、管状ブッシング４５およびヒンジ４０のヒンジピン４２の両方を通って挿入され、次いで、ヒンジ４０の基本プレート４１の上に位置し、それぞれの接続手段１５に結合されるように隣接ハウジング１２の内部に取り入れられる外端部３３を有することを可能にする。
【００２４】
アセンブリの仕上のために、図１および７に示されるように、ヒンジの基本プレート４１、ならびに隣接ハウジング１２および電気ワイヤ３１が通過したダクト２２の出口２２ｂをも覆うように、ヒンジ４０の上に取外し式にはめ込まれる主カバー５０が提供される。主カバー５０の固定は、内部歯（図示せず）を基本プレート４１の周縁へこみ４３にはめ込むことよって達成することができる。ドア２０の開放方向を反転すると直ちにヒンジ４０を受けるように他のハウジング１２に隣接して配置されるキャビネット１０の上面１１のボア１８は、隣接ハウジング１２にはめ込まれるように構築された補助カバー５５で覆われ、ヒンジ４０を固定する隣接ハウジング１２およびボア１８を覆う。
【００２５】
ダクト２２の直線上部部分には、取外し可能の細長いキャップ２５がはめ込まれる。このキャップは、プラスチック材料に押し出された１つまたは複数の部品で形成されることが好ましい。主要カバー５０によって覆われた出口と反対側のダクト２２の出口２２ｂは、やはり取外し式にはめ込まれる小さい仕上キャップ５８によって上から閉鎖される。カバーおよびキャップの提供は、水がキャビネット１０およびドア２０の内部に過度に入ることに対してアセンブリを保護する。
【００２６】
上述から分かるように、本システムにより、フロントドアに取り付けられた電子制御手段３０を機器が備えるか否かに関係なく、キャビネット１０およびドア２０について唯一の構造を使用して、本明細書において考慮されるタイプの機器の構築上の特殊性に順応することが可能になる。
【００２７】
提案された構造は、電気ワイヤ３１、補助電気ワイヤ１６、接続手段１５、またヒンジ４０が取り付けられるキャビネット１０の側面の存在に関係なく、同じ特性を維持する。
【００２８】
ドア２０の開放方向を反転するためには、側面の一方のヒンジ４０を分解して、それをキャビネット１０の他の側面において組み立て、主要カバー５０および補助カバー５５、キャップ２５、２８、ならびに管状ブッシング４５に関して同じ作業を実行するだけでよい。ワイヤ３１は、接続手段１５から分離され、かつキャビネット１０の他の側面上のハウジング１２に設けられる接続手段１５に結合された外端部３３を有し、ワイヤ３１は、ダクト２２の他の半分の上に設置される。したがって、ドアの開放方向の反転は、特有の構築フィーチャを取り付けることを必要としない工場の当初のアセンブリの同じ構成要素を使用することによって、使用者自身によって右側または左側に対して実施されることが可能である。右側（工場の当初の条件）で接続手段１５を使用する際に、左側の接続手段１５に供給する補助電気ワイヤ１６の延長部の電源を切ることがさらに可能である。
【００２９】
本発明の唯一の実施形態が本明細書において示されたが、本明細書に付随する請求項において確定される構築概念から逸脱せずに、形態および構成について変更を実施することができることを理解されたい。
【図面の簡単な説明】
【００３０】
【図１】フロントドアによって閉じられ、本発明の電気供給システムを備える冷蔵庫または冷凍庫のキャビネットの上部部分の前方部分分解透視図である。
【図２】ドアの上部ヒンジが固定されるキャビネットの領域に取り付けられた接続手段に外端部が結合されている、ドアの電気ワイヤの構成を示す、図１に示されたアセンブリの上部部分の横方向部分透視図である。
【図３】ドアの上部ヒンジおよび上部完成部分を形成する部分、ならびにドアの電気ワイヤの受取りダクトを画定する部分の分解透視図である。
【図４】ダクトの縦軸に従って取り入れられた、ドアの上部部分のいくらか概略的な垂直断面図である。
【図５】上部ヒンジを通る電子ワイヤの通路を示す、図４の右側端部分の拡大詳細図である。
【図６】ドアの面に直交し、かつキャビネットへのヒンジの取付け縦軸に沿った方向に従って取り入られた、拡大され、いくらか概略的なドアの上部部分の垂直断面図である。
【図７】構成要素部分が取付け状態にある、図１に示されたアセンブリの上部部分の透視図である。
【図１】
2006507468.tif 000003
【図２】
2006507468.tif 000004
【図３】
2006507468.tif 000005
【図４】
2006507468.tif 000006
【図５】
2006507468.tif 000007
【図６】
2006507468.tif 000008
【図７】
2006507468.tif 000009
【国際調査報告】
2006507468.tif 000010
2006507468.tif 000011
2006507468.tif 000012